(57)【要約】【課題】ＤＩＣＯＭ画像データの再構成条件を事後的に特定することを課題とする。【解決手段】医用画像診断装置と医用画像保管装置とを含む医用画像処理システムにおいて、医用画像診断装置は、ＲａｗデータとＤＩＣＯＭ画像データとを医用画像保管装置に送信する。一方、医用画像保管装置は、ＲａｗデータとＤＩＣＯＭ画像データとを受信すると、受信したＤＩＣＯＭ画像データからＤＩＣＯＭ−ＵＩＤと再構成条件とを抽出し、ＲａｗデータとＤＩＣＯＭ−ＵＩＤと再構成条件とを対応づけて記憶部に格納する。なお、医用画像保管装置は、ＲａｗデータとＤＩＣＯＭ−ＵＩＤと再構成条件とが記憶部に格納された後に、ＤＩＣＯＭ画像データを記憶部から削除する。【選択図】        図１
2010022428.tif 000002
【特許請求の範囲】
【請求項１】
医用画像を処理する医用画像処理装置と当該医用画像処理装置によって処理された医用画像を保管する医用画像保管装置とを含む医用画像処理システムであって、
前記医用画像処理装置は、
医用画像に再構成される前の再構成前データと当該再構成前データから所定の再構成条件を用いて医用画像に再構成された後の再構成画像データとを前記医用画像保管装置に送信するデータ送信手段を備え、
前記医用画像保管装置は、
前記データ送信手段によって送信された再構成前データと再構成画像データとを受信すると、受信した当該再構成画像データの再構成に用いられた再構成条件を取得する再構成条件取得手段と、
前記再構成前データと、前記再構成画像データを一意に識別する再構成画像識別情報と、前記再構成条件取得手段によって取得された再構成条件とを対応づけて記憶部に格納するデータ格納手段と、
を備えたことを特徴とする医用画像処理システム。
【請求項２】
前記医用画像保管装置は、
前記データ格納手段によって再構成前データと再構成画像識別情報と再構成条件とが記憶部に格納された後に、当該再構成前データから当該再構成条件を用いて再構成された再構成画像データを記憶部から削除するデータ削除手段をさらに備えたことを特徴とする請求項１に記載の医用画像処理システム。
【請求項３】
前記医用画像処理システムは、医用画像を表示部に表示する医用画像表示装置を含むものであって、
再構成画像識別情報によって一意に識別される再構成画像データと同じ再構成条件で再構成された再構成画像データを送信することを要求する送信要求を前記医用画像表示装置から受け付けると、当該送信要求にて指定された再構成画像識別情報を用いて前記医用画像保管装置の記憶部を検索し、当該再構成画像識別情報に対応づけて記憶されている再構成条件を取得する第一の再構成条件取得手段と、
前記第一の再構成条件取得手段によって取得された再構成条件と前記医用画像処理装置から新たに送信された再構成前データとを用いて再構成画像データを生成する第一の再構成画像生成手段と、
前記第一の再構成画像生成手段によって生成された再構成画像データを前記医用画像表示装置に送信する第一の再構成画像送信手段と、
をさらに備えたことを特徴とする請求項１または２に記載の医用画像処理システム。
【請求項４】
前記医用画像処理システムは、医用画像を表示部に表示する医用画像表示装置を含むものであって、
再構成画像識別情報によって一意に識別される再構成画像データを送信することを要求する送信要求を前記医用画像表示装置から受け付けると、当該送信要求にて指定された再構成画像識別情報を用いて前記医用画像保管装置の記憶部を検索し、当該再構成画像識別情報に対応づけて記憶されている再構成前データおよび再構成条件を取得する第二の再構成条件取得手段と、
前記第二の再構成条件取得手段によって取得された再構成前データおよび再構成条件を用いて再構成画像データを生成する第二の再構成画像生成手段と、
前記第二の再構成画像生成手段によって生成された再構成画像データを前記医用画像表示装置に送信する第二の再構成画像送信手段と、
をさらに備えたことを特徴とする請求項１または２に記載の医用画像処理システム。
【請求項５】
前記医用画像保管装置は、
前記再構成画像データに関連する関連情報を生成する第一の関連情報生成手段と、
前記データ格納手段によって記憶部に格納された再構成前データと再構成画像識別情報と再構成条件とに対応づけて、前記第一の関連情報生成手段によって生成された関連情報を記憶部に格納する第一の関連情報格納手段と、
をさらに備えたことを特徴とする請求項１〜４のいずれか一つに記載の医用画像処理システム。
【請求項６】
前記医用画像処理システムは、医用画像を表示部に表示する医用画像表示装置を含むものであって、
前記医用画像表示装置は、
前記再構成画像データに関連する関連情報を生成する第二の関連情報生成手段と、
前記第二の関連情報生成手段によって生成された関連情報を前記医用画像保管装置に送信する関連情報送信手段とを備え、
前記医用画像保管装置は、
前記関連情報送信手段によって送信された関連情報を受信すると、前記データ格納手段によって記憶部に格納された再構成前データと再構成画像識別情報と再構成条件とに対応づけて、前記関連情報送信手段によって送信された関連情報を記憶部に格納する第二の関連情報格納手段と、
をさらに備えたことを特徴とする請求項１〜４のいずれか一つに記載の医用画像処理システム。
【請求項７】
医用画像を保管する医用画像保管装置であって、
医用画像に再構成される前の再構成前データから所定の再構成条件を用いて再構成された後の再構成画像データについて、当該再構成条件を取得する再構成条件取得手段と、
前記再構成前データと、前記再構成画像データを一意に識別する再構成画像識別情報と、前記再構成条件取得手段によって取得された再構成条件とを対応づけて記憶部に格納するデータ格納手段と、
を備えたことを特徴とする医用画像保管装置。
【発明の詳細な説明】
【技術分野】
【０００１】
本発明は、医用画像処理システムおよび医用画像保管装置に関する。
【背景技術】
【０００２】
Ｘ線ＣＴ（Computed  Tomography）装置、ＭＲＩ（Magnetic  Resonance  Imaging）装置などの医用画像診断装置や、医用画像を保管する医用画像保管装置は、ＰＡＣＳ（Picture  Archiving  and  Communication  System）のネットワークを介して相互に接続され、ＤＩＣＯＭ（Digital  Imaging  and  Communications  in  Medicine）規格に則って医用画像等の情報を送受信している。
【０００３】
医用画像診断装置は、まず、被検体を撮影することで投影データ（Ｒａｗデータ）を収集し、次に、所定の再構成条件を用いて逆投影処理をすることで、投影データから断面像データを再構成する。さらに、医用画像診断装置は、再構成した断面像データからＤＩＣＯＭ規格に則ったＤＩＣＯＭ画像データを生成する。その後、医用画像診断装置は、生成したＤＩＣＯＭ画像データを医用画像保管装置に送信する。すると、医用画像保管装置は、図１７に示すように、医用画像診断装置から送信されたＤＩＣＯＭ画像データを記憶部に格納し、保管する。なお、図１７は、従来の医用画像保管装置を説明するための図である。
【０００４】
もっとも、ＤＩＣＯＭ画像データを保管する手法では、医用画像保管装置において膨大な記憶容量が必要になる。すなわち、１シリーズ分のＤＩＣＯＭ画像データだけでも膨大な画像数である上、１つの検査で複数シリーズのＤＩＣＯＭ画像データが生成されることもあるので、ＤＩＣＯＭ画像データの容量は膨大になり、膨大な記憶容量が必要になるのである。
【０００５】
このようなことから、従来、図１８に示すように、Ｒａｗデータと再構成条件との対応づけを記憶部に記憶する手法が提案されている。この手法では、サーバが、Ｒａｗデータとシリーズごとの再構成条件とを対応づけて記憶部に記憶しており、クライアントが、シリーズを指定してＤＩＣＯＭ画像データの送信要求をサーバに送信すると、サーバが、指定されたシリーズに該当する再構成条件を用いてＲａｗデータからＤＩＣＯＭ画像データを生成し、クライアントに送信する。なお、図１８は、従来の技術を説明するための図である。
【０００６】
【特許文献１】特開２００６−１１００７１号公報
【発明の開示】
【発明が解決しようとする課題】
【０００７】
ところで、上記した従来の技術では、画像データの再構成に用いられた再構成条件を事後的に特定することが難しいという課題があった。例えば、過去画像と現在画像とを比較する比較読影にあたり、比較対象となる過去のＤＩＣＯＭ画像データの再構成条件を特定し、特定した再構成条件を用いて現在のＤＩＣＯＭ画像データの撮影条件を計画することがある。しかしながら、Ｒａｗデータと再構成条件との対応づけを記憶部に記憶する手法では、比較対象となるＤＩＣＯＭ画像データの再構成条件がどの再構成条件であったのかを事後的に特定することが難しい。
【０００８】
そこで、本発明は、上記した従来の技術の課題を解決するためになされたものであり、画像データの再構成に用いられた再構成条件を事後的に特定することが可能な医用画像処理システムおよび医用画像保管装置を提供することを目的とする。
【課題を解決するための手段】
【０００９】
上述した課題を解決し、目的を達成するため、請求項１に係る発明は、医用画像を処理する医用画像処理装置と当該医用画像処理装置によって処理された医用画像を保管する医用画像保管装置とを含む医用画像処理システムであって、前記医用画像処理装置は、医用画像に再構成される前の再構成前データと当該再構成前データから所定の再構成条件を用いて医用画像に再構成された後の再構成画像データとを前記医用画像保管装置に送信するデータ送信手段を備え、前記医用画像保管装置は、前記データ送信手段によって送信された再構成前データと再構成画像データとを受信すると、受信した当該再構成画像データの再構成に用いられた再構成条件を取得する再構成条件取得手段と、前記再構成前データと、前記再構成画像データを一意に識別する再構成画像識別情報と、前記再構成条件取得手段によって取得された再構成条件とを対応づけて記憶部に格納するデータ格納手段と、を備えたことを特徴とする。
【００１０】
また、請求項７に係る発明は、医用画像を保管する医用画像保管装置であって、医用画像に再構成される前の再構成前データから所定の再構成条件を用いて再構成された後の再構成画像データについて、当該再構成条件を取得する再構成条件取得手段と、前記再構成前データと、前記再構成画像データを一意に識別する再構成画像識別情報と、前記再構成条件取得手段によって取得された再構成条件とを対応づけて記憶部に格納するデータ格納手段と、を備えたことを特徴とする。
【発明の効果】
【００１１】
請求項１または７の発明によれば、画像データの再構成に用いられた再構成条件を事後的に特定することが可能になる。
【発明を実施するための最良の形態】
【００１２】
以下に添付図面を参照して、本発明に係る医用画像処理システムおよび医用画像保管装置の実施例を詳細に説明する。なお、以下では、まず、実施例１おける医用画像保管装置の概要を説明し、続いて、実施例１に係る医用画像処理システムの構成、処理手順、実施例１の効果を順に説明する。次に、他の実施例を説明する。
【実施例１】
【００１３】
［実施例１における医用画像保管装置の概要］
図１を用いて、実施例１における医用画像保管装置の概要を説明する。図１は、実施例１における医用画像保管装置の概要を説明するための図である。
【００１４】
まず、ＤＩＣＯＭ画像データについて簡単に説明すると、ＤＩＣＯＭ画像データは、医用画像データの通信規格であるＤＩＣＯＭ規格に則って生成された画像データのことである。ここで、医用画像データは、参照されるに過ぎない通常の画像データとは異なり、読影などの医療行為に利用されたり、所見などの医用情報と連携して利用されるものである。このため、ＤＩＣＯＭ規格は、医用画像データの付帯情報として各種情報を設定することを規定している。具体的には、ＤＩＣＯＭ規格は、付帯情報として、患者情報の下位に、スタディ、シリーズ、イメージの３段階の情報を設定することを規定している。
【００１５】
以下の実施例において、患者情報とは、患者を識別する患者ＩＤのことであり、スタディとは、検査を識別する検査ＩＤのことであり、シリーズとは、モダリティを識別する装置ＩＤと当該モダリティによる１回の撮影を識別するシリーズＩＤとの組合せのことであり、イメージとは、再構成条件ごとに分類された医用画像データを識別する画像ＩＤのことである。
【００１６】
例えば、患者ＩＤ「987654321」の患者に対し、ＣＴ装置による撮影が、頭部および腹部について行われたとする。この時、２回の撮影に、検査ＩＤ「100-234」および装置ＩＤ「CT10」が付与され、また、頭部の撮影にシリーズＩＤ「S1」が付与され、腹部の撮影にシリーズＩＤ「S2」が付与される。
【００１７】
また、以下の実施例において、スタディ（検査ＩＤ）とシリーズ（装置ＩＤとシリーズＩＤとの組合せ）とイメージ（画像ＩＤ）との組合せをＤＩＣＯＭ−ＵＩＤと呼ぶ。すなわち、ＤＩＣＯＭ−ＵＩＤは、再構成条件ごとに分類されたＤＩＣＯＭ画像データを一意に識別する識別情報である。例えば、図１に示すように、シリーズＩＤ「シリーズ１」には、ＤＩＣＯＭ−ＵＩＤ「100-234.CT10S1.1-a」で識別されるＤＩＣＯＭ画像データや、「100-234.CT10S1.1-b」で識別されるＤＩＣＯＭ画像データ、「100-234.CT10S1.1-c」で識別されるＤＩＣＯＭ画像データなどが含まれる。
【００１８】
さて、実施例１における医用画像保管装置は、図１に示すように、ＤＩＣＯＭ画像データからＤＩＣＯＭ−ＵＩＤを抽出する。また、医用画像保管装置は、ＤＩＣＯＭ画像データから、ＤＩＣＯＭ画像データの再構成に用いられた再構成条件を抽出する。そして、医用画像保管装置は、図１に示すように、ＲａｗデータとＤＩＣＯＭ−ＵＩＤと再構成条件とを対応づけて記憶部に格納する。
【００１９】
このように、実施例１における医用画像保管装置は、再構成条件ごとに分類されたＤＩＣＯＭ画像データを一意に識別する識別情報と、再構成条件とを対応づけて記憶するので、ＤＩＣＯＭ画像データの再構成条件を事後的に特定することが可能になる。
【００２０】
［実施例１に係る医用画像処理システムの構成］
次に、図２〜図８を用いて、実施例１に係る医用画像処理システムの構成を説明する。図２は、実施例１に係る医用画像処理システムの全体構成を示すブロック図である。図２に示すように、実施例１に係る医用画像処理システムにおいては、医用画像診断装置２０と医用画像保管装置１０と医用画像表示装置３０とが、ＰＡＣＳのネットワーク１を介して相互に接続され、ＤＩＣＯＭ規格に則って医用画像等の情報を送受信している。以下、医用画像診断装置２０、医用画像保管装置１０、医用画像表示装置３０について順に説明する。
【００２１】
［医用画像診断装置］
図３〜図５を用いて、実施例１における医用画像診断装置２０の構成を説明する。図３は、実施例１における医用画像診断装置の構成を示すブロック図であり、図４は、Ｒａｗデータ記憶部を説明するための図であり、図５は、ＤＩＣＯＭ画像データ記憶部を説明するための図である。
【００２２】
図３に示すように、医用画像診断装置２０は、特に、記憶部として、Ｒａｗデータ記憶部２１と、ＤＩＣＯＭ画像データ記憶部２２とを備え、制御部として、医用画像撮影部２３と、ＤＩＣＯＭ画像データ生成部２４と、データ送信部２５とを備える。
【００２３】
Ｒａｗデータ記憶部２１は、Ｒａｗデータを記憶する。具体的には、Ｒａｗデータ記憶部２１は、医用画像撮影部２３とＤＩＣＯＭ画像データ生成部２４とデータ送信部２５と接続され、医用画像撮影部２３によって撮影されたＲａｗデータを記憶する。また、Ｒａｗデータ記憶部２１が記憶するＲａｗデータは、ＤＩＣＯＭ画像データ生成部２４やデータ送信部２５による処理に利用される。例えば、Ｒａｗデータ記憶部２１は、図４に示すように、患者ＩＤ、患者名、検査ＩＤ、装置ＩＤなどの付帯情報とともに、Ｒａｗデータを記憶する。
【００２４】
ＤＩＣＯＭ画像データ記憶部２２は、ＤＩＣＯＭ画像データを記憶する。具体的には、ＤＩＣＯＭ画像データ記憶部２２は、ＤＩＣＯＭ画像データ生成部２４とデータ送信部２５とに接続され、ＤＩＣＯＭ画像データ生成部２４によって生成されたＤＩＣＯＭ画像データを記憶する。また、ＤＩＣＯＭ画像データ記憶部２２が記憶するＤＩＣＯＭ画像データは、データ送信部２５による処理に利用される。
【００２５】
例えば、ＤＩＣＯＭ画像データ記憶部２２は、図５に示すように、患者ＩＤ、検査ＩＤ、装置ＩＤ、シリーズＩＤ、画像ＩＤ、再構成条件などの付帯情報とともに、ＤＩＣＯＭ画像データを記憶する。ここで、検査ＩＤと装置ＩＤとシリーズＩＤと画像ＩＤとの組合せをＤＩＣＯＭ−ＵＩＤと呼ぶ。すなわち、図５に示すように、ＤＩＣＯＭ−ＵＩＤによって識別されるＤＩＣＯＭ画像データは、再構成条件ごとに分類されたＤＩＣＯＭ画像データである。
【００２６】
医用画像撮影部２３は、被検体を撮影することでＲａｗデータを収集する。具体的には、医用画像撮影部２３は、Ｒａｗデータ記憶部２１とＤＩＣＯＭ画像データ生成部２４とに接続され、収集したＲａｗデータをＲａｗデータ記憶部２１に格納する。また、医用画像撮影部２３は、Ｒａｗデータ記憶部２１にＲａｗデータを格納したことをＤＩＣＯＭ画像データ生成部２４に通知する。
【００２７】
ＤＩＣＯＭ画像データ生成部２４は、ＲａｗデータからＤＩＣＯＭ画像データを生成する。具体的には、ＤＩＣＯＭ画像データ生成部２４は、Ｒａｗデータ記憶部２１と、ＤＩＣＯＭ画像データ記憶部２２と、医用画像撮影部２３と、データ送信部２５とに接続される。ＤＩＣＯＭ画像データ生成部２４は、Ｒａｗデータ記憶部２１にＲａｗデータを格納したことを医用画像撮影部２３から通知されると、Ｒａｗデータ記憶部２１から該当するＲａｗデータを取得し、所定の再構成条件を用いて逆投影処理をすることで、取得したＲａｗデータから断面像データを再構成する。また、ＤＩＣＯＭ画像データ生成部２４は、再構成した断面像データからＤＩＣＯＭ規格に則ったＤＩＣＯＭ画像データを生成し、生成したＤＩＣＯＭ画像データをＤＩＣＯＭ画像データ記憶部２２に格納する。また、ＤＩＣＯＭ画像データ生成部２４は、ＤＩＣＯＭ画像データ記憶部２２にＤＩＣＯＭ画像データを格納したことをデータ送信部２５に通知する。
【００２８】
データ送信部２５は、ＲａｗデータおよびＤＩＣＯＭ画像データを医用画像保管装置１０に送信する。具体的には、データ送信部２５は、Ｒａｗデータ記憶部２１と、ＤＩＣＯＭ画像データ記憶部２２と、ＤＩＣＯＭ画像データ生成部２４と接続される。データ送信部２５は、ＤＩＣＯＭ画像データ記憶部２２にＤＩＣＯＭ画像データを格納したことをＤＩＣＯＭ画像データ生成部２４から通知されると、Ｒａｗデータ記憶部２１からＲａｗデータを読み出し、ＤＩＣＯＭ画像データ記憶部２２からＤＩＣＯＭ画像データを読み出す。また、データ送信部２５は、読み出したＲａｗデータおよびＤＩＣＯＭ画像データを医用画像保管装置１０に送信する。
【００２９】
［医用画像保管装置］
図６〜図８を用いて、実施例１における医用画像保管装置１０の構成を説明する。図６は、実施例１における医用画像保管装置の構成を示すブロック図であり、図７は、再構成条件記憶部を説明するための図であり、図８は、登録情報記憶部を説明するための図である。
【００３０】
図６に示すように、医用画像保管装置１０は、特に、記憶部として、Ｒａｗデータ記憶部１１と、ＤＩＣＯＭ画像データ記憶部１２と、再構成条件記憶部１３と、登録情報記憶部１４とを備え、制御部として、データ受信部１５と、関連検査登録部１６と、再構成条件抽出部１７と、ＤＩＣＯＭ画像データ削除部１８とを備える。
【００３１】
Ｒａｗデータ記憶部１１は、Ｒａｗデータを記憶する。具体的には、Ｒａｗデータ記憶部１１は、関連検査登録部１６とＤＩＣＯＭ画像データ削除部１８とに接続され、関連検査登録部１６によって格納されることでＲａｗデータを記憶する。また、Ｒａｗデータ記憶部１１が記憶するＲａｗデータは、ＤＩＣＯＭ画像データ削除部１８による処理に利用される。なお、Ｒａｗデータ記憶部１１は、医用画像診断装置２０のＲａｗデータ記憶部２１が記憶するＲａｗデータと同様にＲａｗデータを記憶する（図４を参照）。
【００３２】
ＤＩＣＯＭ画像データ記憶部１２は、ＤＩＣＯＭ画像データを記憶する。具体的には、ＤＩＣＯＭ画像データ記憶部１２は、関連検査登録部１６と再構成条件抽出部１７とＤＩＣＯＭ画像データ削除部１８とに接続され、関連検査登録部１６によって格納されることでＤＩＣＯＭ画像データを記憶する。また、ＤＩＣＯＭ画像データ記憶部１２が記憶するＤＩＣＯＭ画像データは、再構成条件抽出部１７やＤＩＣＯＭ画像データ削除部１８による処理に利用される。なお、ＤＩＣＯＭ画像データ記憶部１２は、医用画像診断装置２０のＤＩＣＯＭ画像データ記憶部２２が記憶するＤＩＣＯＭ画像データと同様にＤＩＣＯＭ画像データを記憶する（図５を参照）。
【００３３】
再構成条件記憶部１３は、再構成条件を記憶する。具体的には、再構成条件記憶部１３は、再構成条件抽出部１７とＤＩＣＯＭ画像データ削除部１８とに接続され、再構成条件抽出部１７によって格納されることで再構成条件を記憶する。また、再構成条件記憶部１３が記憶する再構成条件は、ＤＩＣＯＭ画像データ削除部１８による処理に利用される。
【００３４】
例えば、再構成条件記憶部１３は、図７に示すように、患者ＩＤ、検査ＩＤ、装置ＩＤ、シリーズＩＤ、画像ＩＤ、および再構成条件を記憶する。ここで、再構成条件とは、例えば、図７に示すように、再構成関数やスライス厚であったり、その他、スライス数や再構成ピッチなどのことである。
【００３５】
登録情報記憶部１４は、Ｒａｗデータ、ＤＩＣＯＭ画像データや再構成条件が記憶部に格納された位置を示す位置情報を記憶する。具体的には、登録情報記憶部１４は、関連検査登録部１６と再構成条件抽出部１７とＤＩＣＯＭ画像データ削除部１８とに接続され、関連検査登録部１６や再構成条件抽出部１７によって格納されることで位置情報を記憶する。また、登録情報記憶部１４が記憶する位置情報は、ＤＩＣＯＭ画像データ削除部１８による処理に利用される。
【００３６】
例えば、登録情報記憶部１４は、図８に示すように、患者ＩＤ、患者名、検査ＩＤ、装置ＩＤ、シリーズＩＤなどの付帯情報とともに、Ｒａｗデータの位置情報、ＤＩＣＯＭ画像データの位置情報、再構成条件の位置情報を記憶する。ここで、位置情報とは、図８に示すように、例えば、「\\raw-data\987654321\100-234\CT10\S1-SN」といったパス情報である。
【００３７】
データ受信部１５は、ＲａｗデータおよびＤＩＣＯＭ画像データを医用画像診断装置２０から受信する。具体的には、データ受信部１５は、関連検査登録部１６と接続され、ＲａｗデータおよびＤＩＣＯＭ画像データを医用画像診断装置２０から受信すると、受信したことを関連検査登録部１６に通知する。
【００３８】
関連検査登録部１６は、ＲａｗデータとＤＩＣＯＭ画像データとを関連づけて記憶部に格納する。具体的には、関連検査登録部１６は、Ｒａｗデータ記憶部１１と、ＤＩＣＯＭ画像データ記憶部１２と、登録情報記憶部１４と、データ受信部１５と、再構成条件抽出部１７と接続される。
【００３９】
関連検査登録部１６は、ＲａｗデータおよびＤＩＣＯＭ画像データを医用画像診断装置２０から受信したことをデータ受信部１５から通知されると、ＲａｗデータとＤＩＣＯＭ画像データとから付帯情報を抽出し、共通の付帯情報を統合するなどして、登録情報記憶部１４に格納する。次に、関連検査登録部１６は、データ受信部１５において受信されたＲａｗデータを付帯情報とともにＲａｗデータ記憶部１１に格納し、格納した記憶部の位置情報を取得して、登録情報記憶部１４に格納する。また、関連検査登録部１６は、データ受信部１５において受信されたＤＩＣＯＭ画像データを付帯情報とともにＤＩＣＯＭデータ記憶部１２に格納し、格納した記憶部の位置情報を取得して、登録情報記憶部１４に格納する。そして、関連検査登録部１６は、ＲａｗデータとＤＩＣＯＭ画像データとを関連づけて記憶部に格納したことを再構成条件抽出部１７に通知する。
【００４０】
再構成条件抽出部１７は、ＲａｗデータおよびＤＩＣＯＭ画像データに関連づけて再構成条件を記憶部に格納する。具体的には、再構成条件抽出部１７は、ＤＩＣＯＭ画像データ記憶部１２と再構成条件記憶部１３と登録情報記憶部１４と関連検査登録部１６とＤＩＣＯＭ画像データ削除部１８と接続される。
【００４１】
再構成条件抽出部１７は、ＲａｗデータとＤＩＣＯＭ画像データとを関連づけて記憶部に格納したことを関連検査登録部１６から通知されると、ＤＩＣＯＭ画像データ記憶部１２に格納されたＤＩＣＯＭ画像データから付帯情報を抽出する。すなわち、この時、再構成条件抽出部１７は、検査ＩＤ、装置ＩＤ、シリーズＩＤ、画像ＩＤを抽出することでＤＩＣＯＭ−ＵＩＤを抽出し、また、再構成条件も抽出する。次に、再構成条件抽出部１７は、抽出したＤＩＣＯＭ−ＵＩＤや再構成条件などを再構成条件記憶部１３に格納し、格納した記憶部の位置情報を取得して、登録情報記憶部１４に格納する。そして、再構成条件抽出部１７は、ＲａｗデータおよびＤＩＣＯＭ画像データに関連づけて再構成条件を記憶部に格納したことをＤＩＣＯＭ画像データ削除部１８に通知する。
【００４２】
ＤＩＣＯＭ画像データ削除部１８は、ＤＩＣＯＭ画像データを記憶部から削除する。具体的には、ＤＩＣＯＭ画像データ削除部１８は、Ｒａｗデータ記憶部１１とＤＩＣＯＭ画像データ記憶部１２と再構成条件記憶部１３と登録情報記憶部１４と接続される。ＤＩＣＯＭ画像データ削除部１８は、ＲａｗデータおよびＤＩＣＯＭ画像データに関連づけて再構成条件を記憶部に格納したことを再構成条件抽出部１７から通知されると、一定期間経過後、ＤＩＣＯＭ画像データをＤＩＣＯＭ画像データ記憶部１２から削除する。
【００４３】
この時、ＤＩＣＯＭ画像データ削除部１８は、登録情報記憶部１４に記憶されている位置情報を参照して、Ｒａｗデータ記憶部１１に、削除対象のＤＩＣＯＭ画像データに対応するＲａｗデータが記憶されているかを確認し、また、再構成条件記憶部１３に、削除対象のＤＩＣＯＭ画像データに対応するＤＩＣＯＭ−ＵＩＤと再構成条件とが記憶されているかを確認する。そして、ＤＩＣＯＭ画像データ削除部１８は、ＲａｗデータとＤＩＣＯＭ−ＵＩＤと再構成条件とが関連づけて記憶されていることを確認すると、ＤＩＣＯＭ画像データをＤＩＣＯＭ画像データ記憶部１２から削除する。
【００４４】
［医用画像表示装置］
医用画像表示装置３０は、医用画像保管装置１０によって保管されている医用画像をＰＡＣＳのネットワークを介して受信し、出力部に出力する。
【００４５】
［実施例１に係る医用画像処理システムによる処理手順］
次に、図９および図１０を用いて、実施例１に係る医用画像処理システムによる処理手順を説明する。図９は、実施例１における医用画像診断装置による処理手順を示すフローチャートであり、図１０は、実施例１における医用画像保管装置による処理手順を示すフローチャートである。
【００４６】
図９を用いて、医用画像診断装置による処理手順を説明する。まず、医用画像撮影部２３が、被検体を撮影することでＲａｗデータを収集し、収集したＲａｗデータをＲａｗデータ記憶部２１に格納する（ステップＳ１０１）。
【００４７】
次に、ＤＩＣＯＭ画像データ生成部２４が、Ｒａｗデータから断面像データを再構成し、再構成した断面像データからＤＩＣＯＭ画像データを生成し、生成したＤＩＣＯＭ画像データをＤＩＣＯＭ画像データ記憶部２２に格納する（ステップＳ１０２）。
【００４８】
続いて、データ送信部２５が、データを送信するタイミングであるか否かを判定し（ステップＳ１０３）、データを送信するタイミングであると判定すると（ステップＳ１０３肯定）、ＲａｗデータおよびＤＩＣＯＭ画像データを医用画像保管装置１０に送信する（ステップＳ１０４）。
【００４９】
そして、データ送信部２５は、ＲａｗデータおよびＤＩＣＯＭ画像データを医用画像保管装置１０に送信した後、一定期間が経過したか否かを判定し（ステップＳ１０５）、一定期間経過したと判定すると（ステップＳ１０５肯定）、続いて、Ｒａｗデータ送信要求を医用画像保管装置１０から受信したか否かを判定する（ステップＳ１０６）。
【００５０】
Ｒａｗデータ送信要求を受信している場合には（ステップＳ１０６肯定）、初期設定などの関係でステップＳ１０４においてＲａｗデータが送信されなかった場合であると想定されるので、データ送信部２５は、Ｒａｗデータを送信する（ステップＳ１０７）。
【００５１】
Ｒａｗデータ送信要求を受信していない場合（ステップＳ１０６否定）や、ステップＳ１０７においてＲａｗデータを送信した後に、データ送信部２５は、Ｒａｗデータ記憶部２１から該当するＲａｗデータを削除し、ＤＩＣＯＭ画像データ記憶部２２から該当するＤＩＣＯＭ画像データを削除する（ステップＳ１０８）。
【００５２】
次に、図１０を用いて、医用画像保管装置による処理手順を説明する。まず、データ受信部１５が、ＤＩＣＯＭ画像データを受信したか否かを判定する（ステップＳ２０１）。
【００５３】
ＤＩＣＯＭ画像データを受信したと判定すると（ステップＳ２０１肯定）、次に、データ受信部１５は、関連検査のＲａｗデータを受信したか否かを判定する（ステップＳ２０２）。すなわち、データ受信部１５は、先に受信したＤＩＣＯＭ画像データの付帯情報から患者ＩＤ、検査ＩＤ、装置ＩＤ、シリーズＩＤなどを取得し、同一の情報を付帯情報とするＲａｗデータを受信したか否かを判定する。
【００５４】
関連検査のＲａｗデータを受信していない場合には（ステップＳ２０２否定）、初期設定などの関係で医用画像診断装置２０においてＲａｗデータが送信されなかった場合であると想定されるので、データ受信部１５は、Ｒａｗデータ送信要求を医用画像診断装置２０に送信する（ステップＳ２０３）。
【００５５】
一方、関連検査のＲａｗデータを受信している場合には（ステップＳ２０２肯定）、関連検査登録部１６が、ＲａｗデータとＤＩＣＯＭ画像データとを関連づけて記憶部に格納する（ステップＳ２０４）。具体的には、関連検査部１６は、ＲａｗデータとＤＩＣＯＭ画像データとから付帯情報を抽出し、共通の付帯情報を統合するなどして、登録情報記憶部１４に格納する。次に、関連検査登録部１６は、データ受信部１５において受信されたＲａｗデータを付帯情報とともにＲａｗデータ記憶部１１に格納し、格納した記憶部の位置情報を取得して、登録情報記憶部１４に格納する。また、関連検査登録部１６は、データ受信部１５において受信されたＤＩＣＯＭ画像データを付帯情報とともにＤＩＣＯＭ画像データ記憶部１２に格納し、格納した記憶部の位置情報を取得して、登録情報記憶部１４に格納する。
【００５６】
続いて、再構成条件抽出部１７が、再構成条件を別途受信しているか否かを判定する（ステップＳ２０５）。実施例１において、再構成条件は、ＤＩＣＯＭ画像データから抽出されることが原則であるが、例外的に、再構成条件が別のＤＩＣＯＭデータとして送信されている場合も想定され得るので、再構成条件抽出部１７は、例外的に再構成条件を受信しているか否かを判定する。
【００５７】
再構成条件を別途受信していない原則的な場合には（ステップＳ２０５否定）、再構成条件抽出部１７は、ＤＩＣＯＭ画像データ記憶部１２に格納されたＤＩＣＯＭ画像データから付帯情報を抽出する（ステップＳ２０６）。すなわち、この時、再構成条件抽出部１７は、検査ＩＤ、装置ＩＤ、シリーズＩＤ、画像ＩＤを抽出することでＤＩＣＯＭ−ＵＩＤを抽出し、また、再構成条件も抽出する。
【００５８】
そして、再構成条件抽出部１７は、ＲａｗデータおよびＤＩＣＯＭ画像データに関連づけて再構成条件を記憶部に格納する（ステップＳ２０７）。具体的には、再構成条件抽出部１７は、抽出したＤＩＣＯＭ−ＵＩＤや再構成条件などを再構成条件記憶部１３に格納し、格納した記憶部の位置情報を取得して、登録情報記憶部１４に格納する。
【００５９】
その後、ＤＩＣＯＭ画像データ削除部１８が、一定期間経過したか否かを判定し（ステップＳ２０８）、一定期間経過した場合には（ステップＳ２０８肯定）、ＤＩＣＯＭ画像データをＤＩＣＯＭ画像データ記憶部１２から削除する（ステップＳ２０９）。
【００６０】
［実施例１の効果］
上記してきたように、実施例１に係る医用画像処理システムにおいて、医用画像診断装置２０は、ＲａｗデータとＤＩＣＯＭ画像データとを医用画像保管装置１０に送信し、医用画像保管装置１０は、ＲａｗデータとＤＩＣＯＭ画像データとを受信すると、受信したＤＩＣＯＭ画像データからＤＩＣＯＭ−ＵＩＤと再構成条件とを抽出し、ＲａｗデータとＤＩＣＯＭ−ＵＩＤと再構成条件とを対応づけて記憶部に格納する。このようなことから、実施例１によれば、再構成条件ごとに分類されたＤＩＣＯＭ画像データを一意に識別するＤＩＣＯＭ−ＵＩＤと、再構成条件とを対応づけて記憶するので、ＤＩＣＯＭ画像データの再構成条件を事後的に特定することが可能になる。
【００６１】
また、上記してきたように、実施例１に係る医用画像処理システムにおいて、医用画像保管装置１０は、ＲａｗデータとＤＩＣＯＭ−ＵＩＤと再構成条件とが記憶部に格納された後に、ＤＩＣＯＭ画像データを記憶部から削除する。このようなことから、実施例１によれば、医用画像保管装置において必要となる記憶容量を抑制することが可能になる。すなわち、従来のＤＩＣＯＭ画像データを保管する手法では、医用画像保管装置は、膨大な容量のＤＩＣＯＭ画像データを保管するための膨大な記憶容量が必要であった。しかしながら、実施例１によれば、ＤＩＣＯＭ画像データは記憶部から削除されるので、必要となる記憶容量を抑制することが可能になる。
【実施例２】
【００６２】
ところで、実施例１の効果でも説明したように、本発明によれば、ＤＩＣＯＭ画像データの再構成条件を事後的に特定することが可能になる。そこで、実施例２では、事後的に特定したＤＩＣＯＭ画像データの再構成条件を流用する手法を説明する。
【００６３】
［実施例２における医用画像保管装置の構成］
まず、図１１を用いて、実施例２における医用画像保管装置の構成を説明する。図１１は、実施例２における医用画像保管装置の構成を示すブロック図である。
【００６４】
なお、以下では、医用画像保管装置が、医用画像表示装置からのＤＩＣＯＭ画像データ再構成依頼を受信し、医用画像保管装置が、ＤＩＣＯＭ画像データの再構成を実行するものとして説明するが、本発明はこれに限られるものではない。例えば、医用画像診断装置がＤＩＣＯＭ画像データ再構成依頼を受信し、医用画像診断装置が、医用画像保管装置から必要なデータを受信して、ＤＩＣＯＭ画像データの再構成を実行してもよい。再構成依頼の伝達経路や再構成の実行装置などは、任意に変更することができる。
【００６５】
実施例２における医用画像保管装置１０は、図１１に示すように、ＤＩＣＯＭ画像データ再構成部１９をさらに備える。ＤＩＣＯＭ画像データ再構成部１９は、ＤＩＣＯＭ画像データを再構成することを依頼する再構成依頼を医用画像表示装置３０から受け付ける。具体的には、ＤＩＣＯＭ画像データ再構成部１９は、Ｒａｗデータ記憶部１１と、ＤＩＣＯＭ画像データ記憶部１２と、再構成条件記憶部１３と、登録情報記憶部１４と接続される。
【００６６】
ＤＩＣＯＭ画像データ再構成部１９は、ＤＩＣＯＭ−ＵＩＤを指定することでＤＩＣＯＭ画像データを送信することを要求する再構成依頼を医用画像表示装置３０から受け付けると、再構成依頼にて指定されたＤＩＣＯＭ−ＵＩＤを用いて再構成条件記憶部１３を検索し、ＤＩＣＯＭ−ＵＩＤに対応づけて記憶されている再構成条件を取得する。そして、ＤＩＣＯＭ画像データ再構成部１９は、取得した再構成条件を用いてＤＩＣＯＭ画像データを生成し、生成したＤＩＣＯＭ画像データを医用画像表示装置３０に送信する。
【００６７】
ここで、図１２および図１３を用いてＤＩＣＯＭ画像データの再構成を説明する。図１２および図１３は、ＤＩＣＯＭ画像データの再構成を説明するための図である。例えば、過去画像と現在画像とを比較する比較読影にあたり、比較対象となる過去のＤＩＣＯＭ画像データの再構成条件を特定し、特定した再構成条件を用いて現在のＤＩＣＯＭ画像データの撮影条件を計画することがある。例えば、図１２に示すように、過去のＤＩＣＯＭ画像データ（２００８／５／１）の再構成条件を特定して、現在のＤＩＣＯＭ画像データ（２００８／６／１）の撮影条件を計画する事例を想定する。
【００６８】
このような場合、まず、医用画像表示装置３０は、過去のＤＩＣＯＭ画像データ（２００８／５／１）から当該ＤＩＣＯＭ画像データを識別する情報として、ＤＩＣＯＭ−ＵＩＤを指定することができる。医用画像保管装置１０は、指定されたＤＩＣＯＭ−ＵＩＤを用いて再構成条件記憶部１３を検索する。すると、医用画像保管装置１０は、指定されたＤＩＣＯＭ−ＵＩＤに対応づけて記憶されている再構成条件を特定することができる。特定した再構成条件は、まさに、過去のＤＩＣＯＭ画像データ（２００８／５／１）の再構成に用いられた再構成条件である。
【００６９】
こうして、過去のＤＩＣＯＭ画像データ（２００８／５／１）の再構成条件が特定されるので、再び、医用画像保管装置１０は、新たに撮影されたＲａｗデータから、特定された再構成条件を用いて現在のＤＩＣＯＭ画像データ（２００８／６／１）を生成する。こうして、過去のＤＩＣＯＭ画像データ（２００８／５／１）と、新たに撮影されたＲａｗデータから生成された現在のＤＩＣＯＭ画像データ（２００８／６／１）との比較読影が実現する。
【００７０】
また、例えば、図１３に示すように、所見と対応づけて記憶されていた過去のＤＩＣＯＭ画像データが、所定期間を経過したことなどを契機に削除されたとする。そして、例えば、同じ患者が再び診察に訪れるなどしたことで、ＤＩＣＯＭ画像データが削除された後に、当該ＤＩＣＯＭ画像データの復元が必要になった事例を想定する。
【００７１】
このような場合、まず、医用画像表示装置３０は、所見と対応づけて記憶されていたＤＩＣＯＭ画像データを識別する情報として、ＤＩＣＯＭ−ＵＩＤを指定することができる。医用画像保管装置１０は、指定されたＤＩＣＯＭ−ＵＩＤを用いて再構成条件記憶部１３を検索する。すると、医用画像保管装置１０は、指定されたＤＩＣＯＭ−ＵＩＤに対応づけて記憶されているＲａｗデータと再構成条件とを取得することができる。取得したＲａｗデータは、まさに、削除されたＤＩＣＯＭ画像データに対応するＲａｗデータであり、取得した再構成条件は、まさに、削除されたＤＩＣＯＭ画像データの再構成に用いられた再構成条件である。
【００７２】
こうして、Ｒａｗデータと再構成条件とが取得されるので、医用画像保管装置１０は、再び、取得したＲａｗデータから、取得した再構成条件を用いてＤＩＣＯＭ画像データを生成することができ、削除されたＤＩＣＯＭ画像データの復元を実現することができる。
【００７３】
[実施例２の効果]
上記してきたように、実施例２における医用画像保管装置１０は、過去のＤＩＣＯＭ画像データと同じ再構成条件で再構成されたＤＩＣＯＭ画像データを送信することを要求する再構成依頼を医用画像表示装置３０から受け付けると、指定されたＤＩＣＯＭ−ＵＩＤを用いて再構成条件記憶部１３を検索し、ＤＩＣＯＭ−ＵＩＤに対応づけて記憶されている再構成条件を取得する。そして、医用画像保管装置１０は、取得した再構成条件を用いてＤＩＣＯＭ画像データを生成し、生成したＤＩＣＯＭ画像データを医用画像表示装置３０に送信する。このようなことから、実施例２によれば、過去の再構成条件を流用して、適切な比較読影をすることができる。
【００７４】
また、実施例２における医用画像保管装置１０は、ＤＩＣＯＭ画像データを復元して送信することを要求する再構成依頼を医用画像表示装置３０から受け付けると、指定されたＤＩＣＯＭ−ＵＩＤを用いて再構成条件記憶部１３を検索し、ＤＩＣＯＭ−ＵＩＤに対応づけて記憶されているＲａｗデータおよび再構成条件を取得する。そして、医用画像保管装置１０は、取得したＲａｗデータおよび再構成条件を用いてＤＩＣＯＭ画像データを生成し、生成したＤＩＣＯＭ画像データを医用画像表示装置３０に送信する。このようなことから、実施例２によれば、削除されてしまったＤＩＣＯＭ画像データを復元することもできる。
【実施例３】
【００７５】
さて、これまで実施例２では、事後的に特定されたＤＩＣＯＭ画像データの再構成条件を流用する手法について説明してきた。しかしながら、本発明はこれに限られるものではない。すなわち、本発明に係る医用画像保管装置は、Ｒａｗデータを保管しているので、例えば、比較読影にあたり、過去の再構成条件に最適な再構成条件がなかった場合にも、新たな再構成条件を用いてＲａｗデータからＤＩＣＯＭ画像データを生成することが可能である。以下、実施例３に係る医用画像処理システムとして、新たな再構成条件を用いる手法について説明する。
【００７６】
［実施例３に係る医用画像処理システムによる処理手順］
図１４および図１５を用いて、実施例３に係る医用画像処理システムによる処理手順を説明する。図１４は、実施例３における医用画像診断装置による処理手順を示すフローチャートであり、図１５は、実施例３における医用画像保管装置による処理手順を示すフローチャートである。
【００７７】
なお、以下では、実施例２と異なり、医用画像保管装置が、医用画像表示装置からのＤＩＣＯＭ画像データ送信依頼を受信し、医用画像診断装置が、ＤＩＣＯＭ画像データの再構成を実行するものとして説明するが、本発明はこれに限られるものではない。例えば、医用画像診断装置がＤＩＣＯＭ画像データ送信依頼を受信してもよいし、医用画像保管装置が、ＤＩＣＯＭ画像データの再構成を実行してもよい。すなわち、実施例２でも説明したように、送信依頼の伝達経路や再構成の実行装置などは、任意に変更することができる。
【００７８】
図１４を用いて、医用画像診断装置による処理手順を説明する。まず、医用画像診断装置２０は、医用画像保管装置１０からＤＩＣＯＭ画像データの再構成依頼を受信したか否かを判定している（ステップＳ３０１）。
【００７９】
再構成依頼を受信したと判定した場合には（ステップＳ３０１肯定）、続いて、医用画像診断装置２０は、Ｒａｗデータを受信したか否かを判定する（ステップＳ３０２）。Ｒａｗデータを受信したと判定した場合には（ステップＳ３０２肯定）、次に、医用画像診断装置２０は、再構成条件を受信したか否かを判定する（ステップＳ３０３）。
【００８０】
なお、再構成条件を受信した場合とは、後述するように、過去の再構成条件を流用する場合であり、流用する過去の再構成条件を医用画像保管装置１０が送信してきた場合である。一方、再構成条件を受信しない場合とは、後述するように、過去の再構成条件が流用できない場合であり、再構成依頼の依頼内容のみを医用画像保管装置１０が送信してきた場合である。
【００８１】
そこで、医用画像診断装置２０は、いずれも受信した場合に（ステップＳ３０２肯定、ステップＳ３０３肯定）、Ｒａｗデータと過去の再構成条件とを用いてＤＩＣＯＭ画像データを生成し（ステップＳ３０５）、生成したＤＩＣＯＭ画像データを医用画像保管装置１０に送信する（ステップＳ３０６）。
【００８２】
一方、医用画像診断装置２０は、再構成条件を受信していない場合には（ステップＳ３０２肯定、ステップＳ３０３否定）、依頼内容に従って新たな再構成条件を生成する（ステップＳ３０４）。そして、医用画像診断装置２０は、Ｒａｗデータと新たな再構成条件とを用いてＤＩＣＯＭ画像データを生成し（ステップＳ３０５）、生成したＤＩＣＯＭ画像データを医用画像保管装置１０に送信する（ステップＳ３０６）。
【００８３】
次に、図１５を用いて、医用画像保管装置による処理手順を説明する。まず、医用画像保管装置１０は、医用画像表示装置３０からＤＩＣＯＭ画像データ送信依頼を受信したか否かを判定している（ステップＳ４０１）。ここで、ＤＩＣＯＭ画像データ送信依頼とは、例えば、過去のＤＩＣＯＭ画像データを識別するＤＩＣＯＭ−ＵＩＤと、再構成条件との組合せであるとする。
【００８４】
送信依頼を受信した場合には（ステップＳ４０１肯定）、医用画像保管装置１０は、登録情報記憶部１４に記憶されている登録情報を用いて、ＤＩＣＯＭ画像データ記憶部１２および再構成条件記憶部１３を検索する（ステップＳ４０２）。ＤＩＣＯＭ−ＵＩＤによって識別されるＤＩＣＯＭ画像データが未だＤＩＣＯＭ画像データ記憶部１２から削除されていない場合で、かつ、過去のＤＩＣＯＭ画像データの再構成に用いられた再構成条件と送信依頼の再構成条件とが一致する場合には、送信依頼されたＤＩＣＯＭ画像データが検索されるはずである。
【００８５】
送信依頼されたＤＩＣＯＭ画像データが検索された場合には（ステップＳ４０３肯定）、ＤＩＣＯＭ画像データ再構成部１９は、ＤＩＣＯＭ画像データ記憶部１２から該当するＤＩＣＯＭ画像データを取得し（ステップＳ４０４）、医用画像表示装置３０に送信する（ステップＳ４０９）。
【００８６】
一方、送信依頼されたＤＩＣＯＭ画像データが検索されない場合としては、ＤＩＣＯＭ−ＵＩＤによって識別されるＤＩＣＯＭ画像データがすでにＤＩＣＯＭ画像データ記憶部１２から削除されてしまっている場合と、過去のＤＩＣＯＭ画像データの再構成に用いられた再構成条件と送信依頼の再構成条件とが一致しない場合とが考えられる。そこで、送信依頼されたＤＩＣＯＭ画像データが検索されない場合には（ステップＳ４０３否定）、医用画像保管装置１０は、送信依頼の再構成条件と一致する再構成条件が記憶されているか否か、再構成条件記憶部１３を検索する（ステップＳ４０５）。
【００８７】
送信依頼の再構成条件と一致する再構成条件が記憶されている場合には（ステップＳ４０５肯定）、単に、ＤＩＣＯＭ画像データがＤＩＣＯＭ画像データ記憶部１２から削除されてしまっている場合であるので、医用画像保管装置１０は、Ｒａｗデータ記憶部１１に記憶されているＲａｗデータと再構成条件とを医用画像診断装置２０に送信する（ステップＳ４０６）。
【００８８】
一方、送信依頼の再構成条件と一致する再構成条件が記憶されていない場合には（ステップＳ４０５否定）、そもそも過去の再構成条件を流用できない場合である。このため、医用画像保管装置１０は、Ｒａｗデータおよび依頼内容を医用画像診断装置２０に送信する（ステップＳ４０７）。
【００８９】
その後、医用画像保管装置１０は、医用画像診断装置２０からＤＩＣＯＭ画像データを受信したか否かを判定し（ステップＳ４０８）、受信した場合には（ステップＳ４０８肯定）、受信したＤＩＣＯＭ画像データを医用画像表示装置３０に送信する（ステップＳ４０９）。
【００９０】
［実施例３の効果］
ＤＩＣＯＭ画像データのみを保管し、Ｒａｗデータを保管しない従来の手法では、例えば、比較読影にあたり、過去の再構成条件に最適な再構成条件がなかった場合には、再び被検体を撮影してＲａｗデータを収集し直す必要があった。しかしながら、上記してきたように、実施例３によれば、医用画像保管装置１０がＲａｗデータを保管していることから、再構成条件を新規に作成したり修正することで、Ｒａｗデータを収集し直すことなく、過去に収集したＲａｗデータから新たなＤＩＣＯＭ画像データを生成することができる。
【実施例４】
【００９１】
［他の実施例］
さて、これまで本発明の実施例１〜実施例３について説明してきたが、本発明は上記の実施例以外にも、種々の異なる形態にて実施されてよいものである。
【００９２】
［ＤＩＣＯＭデータオブジェクト］
まず、上記の実施例において説明したように、ＤＩＣＯＭ画像データは、医用画像表示装置によって表示されるものである。ここで、医用画像表示装置は、ＤＩＣＯＭ画像データを表示した際に、ＤＩＣＯＭ規格に則った様々なＤＩＣＯＭデータオブジェクトを生成する。例えば、階調など画像の表示に関する情報を示すＧＳＰＳ（Grayscale  Softcopy  Presentation  State）や、キー画像を示すKey  Image  Object、あるいは、レポートの規格を示すＳＲ（Structured  Report）などである。このようなＤＩＣＯＭデータオブジェクトは、医用画像表示装置から医用画像保管装置に送信され、医用画像保管装置において、ＤＩＣＯＭ画像データと関連づけて保管されることが有効である。しかしながら、上記の実施例において説明したように、ＤＩＣＯＭ画像データ自体は、一定期間経過後削除されてしまう。そうであるとすると、ＤＩＣＯＭ画像データとの関連づけを失ったＤＩＣＯＭデータオブジェクトが、医用画像保管装置に保管されることになってしまう。
【００９３】
そこで、本発明に係る医用画像保管装置は、ＤＩＣＯＭ−ＵＩＤに対応づけてＤＩＣＯＭデータオブジェクトを保管することで、ＤＩＣＯＭ画像データとの関連づけを維持したままＤＩＣＯＭデータオブジェクトを保管することもできる。この点について、図１６を用いて説明する。図１６は、ＤＩＣＯＭデータオブジェクトの保管について説明するための図である。
【００９４】
図１６に示すように、医用画像表示装置は、ＤＩＣＯＭ画像データを表示した際に、ＤＩＣＯＭ画像データからＤＩＣＯＭ−ＵＩＤを抽出し、抽出したＤＩＣＯＭ−ＵＩＤと生成したＤＩＣＯＭデータオブジェクトとを対応づけて、医用画像保管装置に送信する。この時、医用画像保管装置は、すでに、ＲａｗデータとＤＩＣＯＭ−ＵＩＤと再構成条件とを対応づけて記憶部に保管している。このため、医用画像保管装置は、受信したＤＩＣＯＭ−ＵＩＤを用いて記憶部を検索し、検索したＤＩＣＯＭ−ＵＩＤに対応づけて、受信したＤＩＣＯＭデータオブジェクトを格納する。こうして、医用画像保管装置は、ＤＩＣＯＭ画像データとの関連づけを維持したままＤＩＣＯＭデータオブジェクトを保管することができる。
【００９５】
なお、ＤＩＣＯＭデータオブジェクトは、医用画像保管装置において生成される場合もある。このような場合、例えば、医用画像保管装置は、ＤＩＣＯＭ画像データからＤＩＣＯＭデータオブジェクトを生成すると、ＤＩＣＯＭ画像データを識別するＤＩＣＯＭ−ＵＤＩを用いて記憶部を検索し、すでに記憶部に保管しているＲａｗデータとＤＩＣＯＭ−ＵＩＤと再構成条件とに対応づけてＤＩＣＯＭデータオブジェクトを格納する。こうして、ＤＩＣＯＭ画像データ自体が一定期間経過後削除されてしまったとしても、医用画像保管装置は、ＤＩＣＯＭ画像データとの関連づけを維持したままＤＩＣＯＭデータオブジェクトを保管することができる。
【００９６】
［システム構成等］
また、上記の実施例においては、医用画像保管装置と医用画像診断装置と医用画像表示装置とが物理的に異なる装置によって構成される事例を説明したが、本発明はこれに限られるものではない。医用画像保管装置と医用画像診断装置とが物理的に同じ装置によって構成されたり、医用画像保管装置と医用画像表示装置とが物理的に同じ装置によって構成されるなど、物理的な構成は任意である。
【００９７】
また、上記の実施例においては、医用画像保管装置の記憶部が、医用画像保管装置に内蔵されるハードディスクによって実現される事例を説明したが、本発明はこれに限られるものではない。医用画像保管装置の記憶部は、例えば、ＮＡＳ（Network  Attached  Storage）によって構成されてもよい。
【産業上の利用可能性】
【００９８】
以上のように、本発明に係る医用画像処理システムおよび医用画像保管装置は、医用画像を保管することに有用であり、特に、ＤＩＣＯＭ画像データの再構成条件を事後的に特定することに適する。
【図面の簡単な説明】
【００９９】
【図１】実施例１における医用画像保管装置の概要を説明するための図である。
【図２】実施例１に係る医用画像処理システムの全体構成を示すブロック図である。
【図３】実施例１における医用画像診断装置の構成を示すブロック図である。
【図４】Ｒａｗデータ記憶部を説明するための図である。
【図５】ＤＩＣＯＭ画像データ記憶部を説明するための図である。
【図６】実施例１における医用画像保管装置の構成を示すブロック図である。
【図７】再構成条件記憶部を説明するための図である。
【図８】登録情報記憶部を説明するための図である。
【図９】実施例１における医用画像診断装置による処理手順を示すフローチャートである。
【図１０】実施例１における医用画像保管装置による処理手順を示すフローチャートである。
【図１１】実施例２における医用画像保管装置の構成を示すブロック図である。
【図１２】ＤＩＣＯＭ画像データの再構成を説明するための図である。
【図１３】ＤＩＣＯＭ画像データの再構成を説明するための図である。
【図１４】実施例３における医用画像診断装置による処理手順を示すフローチャートである。
【図１５】実施例３における医用画像保管装置による処理手順を示すフローチャートである。
【図１６】ＤＩＣＯＭデータオブジェクトの保管について説明するための図である。
【図１７】従来の医用画像保管装置を説明するための図である。
【図１８】従来の技術を説明するための図である。
【符号の説明】
【０１００】
１  ネットワーク
１０  医用画像保管装置
１１  Ｒａｗデータ記憶部
１２  ＤＩＣＯＭ画像データ記憶部
１３  再構成条件記憶部
１４  登録情報記憶部
１５  データ受信部
１６  関連検査登録部
１７  再構成条件抽出部
１８  ＤＩＣＯＭ画像データ削除部
１９  ＤＩＣＯＭ画像データ再構成部
２０  医用画像診断装置
２１  Ｒａｗデータ記憶部
２２  ＤＩＣＯＭ画像データ記憶部
２３  医用画像撮影部
２４  ＤＩＣＯＭ画像データ生成部
２５  データ送信部
３０  医用画像表示装置
【図１】
2010022428.tif 000003
【図２】
2010022428.tif 000004
【図３】
2010022428.tif 000005
【図４】
2010022428.tif 000006
【図５】
2010022428.tif 000007
【図６】
2010022428.tif 000008
【図７】
2010022428.tif 000009
【図８】
2010022428.tif 000010
【図９】
2010022428.tif 000011
【図１０】
2010022428.tif 000012
【図１１】
2010022428.tif 000013
【図１２】
2010022428.tif 000014
【図１３】
2010022428.tif 000015
【図１４】
2010022428.tif 000016
【図１５】
2010022428.tif 000017
【図１６】
2010022428.tif 000018
【図１７】
2010022428.tif 000019
【図１８】
2010022428.tif 000020